(57)【要約】【課題】  湾曲した透光性基板に表示パネルを接着した斬新性がある表示装置を提供する。【解決手段】  表示パネル１０は、画像を表示する。透光性基板３０，８０は、表示パネル１０が透光性部材５０にて接着される。表示パネル１０は湾曲しており、且つ、表示パネル１０が接着される前記透光性基板３０，８０の後面３１，８１は、表示パネル１０に沿う曲面になっている。透光性基板３０，８０の前面３２，８２は、曲面になっている。透光性基板３０，８０の前面３２，８２の曲率は、透光性基板３０，８０の後面３１，８１の曲率よりも大きい。【選択図】  図１
2018194674.tif 000002
【特許請求の範囲】
【請求項１】
画像を表示する表示パネルと、前記表示パネルが透光性部材にて接着される透光性基板と、を備えた表示装置であって、
前記表示パネルは湾曲しており、且つ、前記表示パネルが接着される前記透光性基板の後面は、前記表示パネルに沿う曲面になっていることを特徴とする表示装置。
【請求項２】
前記透光性基板の前面は、曲面になっていることを特徴とする請求項１に記載の表示装置。
【請求項３】
前記透光性基板の前記前面の曲率は、前記透光性基板の前記後面の曲率よりも大きいことを特徴とする請求項２に記載の表示装置。
【発明の詳細な説明】
【技術分野】
【０００１】
本発明は、透光性基板に表示パネルが接着された表示装置に関するものである。
【背景技術】
【０００２】
従来の表示装置は、例えば、特許文献１に開示されるものがある。この表示装置はケース内に液晶表示パネルを収納するものである。液晶表示パネルの前側には透光性保護パネルが設けられるが、透光性保護パネルと液晶表示パネルとの間に空気層があり、特に車載環境においては太陽光が照射され光りの反射により視認性が低下するという問題を有していた。この問題を解決するものとして透光性保護パネルと液晶表示パネルとの間を透光性部材で埋めるオプティカルボンディング技術が特許文献２に開示されている。
【先行技術文献】
【特許文献】
【０００３】
【特許文献１】特開平７−６９１００号公報
【特許文献２】特許第４９４０２１５号公報
【発明の概要】
【発明が解決しようとする課題】
【０００４】
しかしながら、表示装置の画面が平面的であるため、可撓性の表示パネルを用いて、斬新性がある表示装置が望まれている。
本発明は、この問題に鑑みなされたものであり、湾曲した透光性保護パネル（透光性基板）に表示パネルを接着した斬新性がある表示装置を提供するものである。
【課題を解決するための手段】
【０００５】
本発明は、画像を表示する表示パネル１０と、前記表示パネル１０が透光性部材５０にて接着される透光性基板３０，８０と、を備えた表示装置であって、
前記表示パネル１０は湾曲しており、且つ、前記表示パネル１０が接着される前記透光性基板３０，８０の後面３１，８１は、前記表示パネル１０に沿う曲面になっていることを特徴とする。
【０００６】
また、本発明は、前記透光性基板３０，８０の前面３２，８２は、曲面になっていることを特徴とする。
【０００７】
また、本発明は、前記透光性基板３０，８０の前記前面３２，８２の曲率は、前記透光性基板３０，８０の前記後面３１，８１の曲率よりも大きいことを特徴とする。
【発明の効果】
【０００８】
透光性基板の後面に、湾曲した表示パネルが接着されているため、表示装置に斬新性があり、商品性が高い。
【図面の簡単な説明】
【０００９】
【図１】本発明の第一実施形態を示す横断面図。
【図２】同上実施形態を示す縦断面図。
【図３】同上実施形態を示す有機ＥＬ表示パネルの正面図。
【図４】同上実施形態を示す有機ＥＬ表示パネルの分解斜視図。
【図５】本発明の第二実施形態を示す横断面図。
【図６】同上実施形態を示す縦断面図。
【発明を実施するための形態】
【００１０】
以下、添付図面に基づいて、本発明を車両用表示装置に適用した一実施形態を説明する。図１乃至図４は、第一実施形態を示すものである。図１及び図２では、車両用表示装置の横方向をＸ軸方向、車両用表示装置の縦方向をＹ軸方向、車両用表示装置の厚さ方向をＺ軸方向として図示している。なお、本明細書において、「正面視」とは、Ｚ軸マイナス方向に視認することである。
【００１１】
車両用表示装置は、有機ＥＬ表示パネル（表示パネル）１０，回路基板２０，透光性保護パネル（透光性基板）３０，ケース４０を備えている。
【００１２】
有機ＥＬ表示パネル１０は、可撓性の透明基板１１の後面に、ＩＴＯからなる第一電極１２，絶縁層１３，有機層１４，アルミニウム（Ａｌ）等からなる第二電極１５を順次積層したものであり、第二電極５９の後側には封止部材１６が配設されている。封止部材１６は、紫外線硬化型の接着剤で透明基板１１に固着されている。
【００１３】
第一電極１２は、セグメント部１２ａと、セグメント部１２ａに連なる陽極端子部１２ｂと、陰極端子部１２ｃとを有している。有機層１４は、少なくとも発光層があれば良いが、ホール輸送層，電子輸送層等があっても良い。有機ＥＬ表示パネル１０は、透光性保護パネル３０の後面３１に、透光性接着剤５０によって接着されている。有機ＥＬ表示パネル１０は、湾曲しており、図示しない可撓性配線部材により、回路基板２０と電気的に接続されている。
【００１４】
有機ＥＬ表示パネル１０は、正面視で横長の長方形になっており、車両速度表示部１０ａと、走行距離表示部１０ｂとを有している。有機ＥＬ表示パネル１０の車両速度表示部１０ａは、車両の速度をデジタル画像表示するものである。有機ＥＬ表示パネル１０の走行距離表示部１０ｂは、車両の走行距離をデジタル画像表示するものである。
【００１５】
回路基板２０は、ガラスエポキシ樹脂からなる基材に銅箔からなる配線パターンを形成したものであり、回路基板２０には、有機ＥＬ表示パネル１０を制御するマイコン等の各種電子部品が実装されている。有機ＥＬ表示パネル１０の画面には、車両速度等の車両情報が表示される。
【００１６】
透光性保護パネル３０は、透光性樹脂若しくは無機ガラスからなるものであり、正面視で矩形になっている。透光性保護パネル３０の後面３１は、縦方向で湾曲した曲面になっている。透光性保護パネル３０の後面３１は、縦方向で曲率半径Ｒ１を有している。透光性保護パネル３０の後面３１は、横方向では湾曲していない。つまり、透光性保護パネル３０の後面３１の曲率半径は、横方向で無限大になっている。
【００１７】
透光性保護パネル３０の前面３２は、正面視で凹になるように、縦方向及び横方向で湾曲した曲面になっている。透光性保護パネル３０の前面３２は、縦方向で曲率半径Ｒ２を有している。曲率半径Ｒ２は、曲率半径Ｒ１よりも小さくなっている。また、透光性保護パネル３０の前面３２は、横方向で曲率半径Ｒ３を有している。曲率半径Ｒ３は、曲率半径Ｒ２よりも大きくなっている。
【００１８】
透光性保護パネル３０は、前面３２の曲率が後面３１の曲率よりも大きくなっており、中央部よりも周辺部が厚くなっている。つまり、透光性保護パネル３０は、横側端面の高さｔ２及び縦側端面の高さｔ３は、中央部での厚さｔ１よりも大きくなっている。
【００１９】
ケース４０は、不透明な樹脂からなるものであり、底壁部４１と周壁部４２とを有している。ケース４０の周壁部４２には、透光性保護パネル３０が固定されている。ケース４０には、有機ＥＬ表示パネル１０及び回路基板２０が収容されている。
【００２０】
図５及び図６は、第二実施形態を示すものである。第二実施形態は、透光性保護パネル８０だけが第一実施形態と異なり、他の構成は第一実施形態と同様である。
【００２１】
透光性保護パネル８０は、透光性樹脂若しくは無機ガラスからなるものであり、正面視で矩形になっている。透光性保護パネル８０の後面８１は、横方向で湾曲した曲面になっている。透光性保護パネル８０の後面８１は、横方向で曲率半径Ｒ４を有している。透光性保護パネル８０の後面８１は、縦方向では湾曲していない。つまり、透光性保護パネル８０の後面８１の曲率半径は、縦方向で無限大になっている。
【００２２】
透光性保護パネル８０の前面８２は、正面視で凹になるように、縦方向及び横方向で湾曲した曲面になっている。透光性保護パネル８０の前面８２は、縦方向で曲率半径Ｒ５を有している。また、透光性保護パネル８０の前面８２は、
横方向で曲率半径Ｒ６を有している。曲率半径Ｒ６は、曲率半径Ｒ５よりも大きくなっている。
【００２３】
透光性保護パネル８０は、前面８２の曲率が後面８１の曲率よりも大きくなっており、中央部よりも周辺部が厚くなっている。つまり、透光性保護パネル８０は、横側端面の高さｔ５及び縦側端面の高さｔ６は、中央部での厚さｔ４よりも大きくなっている。
【００２４】
第一，第二実施形態によれば、透光性保護パネル３０，８０の後面３１，８１に、湾曲した有機ＥＬ表示パネル１０が接着されているため、車両用表示装置に斬新性があり、商品性が高い。また、透光性基板３０，８０の前面３２，８２の曲率が、透光性基板３０，８０の後面３１，８１の曲率よりも大きいことによって、有機ＥＬ表示パネル１０の湾曲感が強調されるため、更に斬新性が向上する。
【００２５】
なお、本発明は、第一，第二実施形態に限定されるものではなく、種々の変形が可能である。例えば、透光性基板３０，８０の前面３２，８２が平面であっても良い。また、表示パネルは、液晶表示パネルであっても良い。
【符号の説明】
【００２６】
１０  有機ＥＬ表示パネル（表示パネル）
３０  透光性保護パネル（透光性基板）
３１  後面
３２  前面
５０  透光性部材
８０  透光性基板
８１  後面
８２  前面
【図１】
2018194674.tif 000003
【図２】
2018194674.tif 000004
【図３】
2018194674.tif 000005
【図４】
2018194674.tif 000006
【図５】
2018194674.tif 000007
【図６】
2018194674.tif 000008